(57)【要約】【課題】  洗濯物干し場は、ベランダなどのような決められたスペースにもかかわらず、家族が多かったり、雨天が続いた明けの晴天時などは、洗濯物が増えて普段の洗濯物干し竿の数だけでは足らなくなります。このような場合、タコ足形や折り畳み式の吊り下げ形の洗濯物干し器具やスタンド形の洗濯物干し器具を使って増えた洗濯物を干します。しかし、これらの器具では、ソックスやハンカチなどの小物しか干すことが出来ず、ズボンやシャツなどは干すことができません。【解決手段】  洗濯物干し竿を吊り下げることで限られたスペースの洗濯物干し場の縦のスペースを利用して洗濯物の干し場を増やすことが可能となり、更に洗濯物を挟む構造になっているため洗濯バサミを不要としました。【選択図】  図１
2006021010.tif 000002
【特許請求の範囲】
【請求項１】
吊り下げることができることを特徴とする物干し竿
【請求項２】
折り畳めることを特徴とする請求項１記載の物干し竿
【請求項３】
洗濯ばさみを不要とすることを特徴とする請求項１記載の物干し竿
【発明の詳細な説明】
【技術分野】
【０００１】  この発明は、洗濯物を干す物干し竿の形状に関する。
【背景技術】
【０００２】  従来の洗濯物を干す方法は、図９に示すように洗濯物干し竿以外に（Ａ）は洗濯物を干す部分が数本あるタコ足状の折り畳み式の吊り下げ形洗濯物干し器具、（Ｂ）は洗濯バサミのついた（Ａ）と同じ２つ折りの折り畳み式吊り下げ形洗濯物干し器具、（Ｃ）は折り畳み式のスタンド形の洗濯物干し器具、（Ｄ）は、ロープなどを洗濯物干し竿スタンドなどに張るなどである。
【発明の開示】
【発明が解決しようとする課題】
【０００３】  しかしながら、以上の技術によれば、吊り下げ形の洗濯物干し器具は、ソックスやハンカチなどの小物しか干すことができず、ズボンやシャツなどは干すことが出来ません。【０００４】  また、ベランダように物干し竿の端がすぐ壁になっているような所では、その器具を吊り下げるには、壁に当たらないように開くことのできるスペースが必要となります。【０００５】  スタンド形の洗濯物干し器具は、吊り下げ型の洗濯物干し器具と同じでソックスやハンカチなどの小物しか干すことができません。【０００６】  また、ベランダなどのような所では日陰になることが多く、高さを調整することができないため、壁やフェンスなどの日陰となり陰干しとなる。【０００７】  ロープなどを張った場合は、ロープが放物線状にたわみズボン・シャツ・シーツなどの大きな洗濯物を干した場合、洗濯物を張って干すことができずシワになり、乾いた時にシワが残るなどの問題がありました。【０００８】  そこで、この発明は、広げることができない洗濯干し場の限られた場所の内、干された洗濯物と地面の間の縦の空間を有効利用することのできる折り畳み式洗濯物干し竿を提供することを課題とする。
【課題を解決するための手段】
【０００９】  以上の課題を解決するために、第一発明は、吊り下げることが出来ることを特徴とする物干し竿である。【００１０】  また、第二発明は、折り畳めることを特徴とする物干し竿である。【００１１】  また、第三発明は、洗濯ばさみを不要とすることを特徴とする物干し竿である。
【発明の効果】
【００１２】  第一の発明は、吊り下げることで、干している洗濯物と地面との空いている空間を利用できる。【００１３】  第二の発明は、折り畳み式のため、不要時は置き場所に困らず、また、折り畳んだままで吊り下げなくても使用できる。【００１４】  第三の発明は、洗濯物を挟める構造になっているため、洗濯バサミが不要となる。
【発明を実施するための最良の形態】
【００１５】  この発明の一実施形態を、図１・図２・図３・図４・図５・図６に示す。【００１６】  図１は折り畳み式洗濯物干し竿の７の支点を軸に開いた状態を平面・側面・正面から描いた図です。【００１７】  １の左側本体と２の右側本体は、パイプを縦に割った形状でそれぞれの片側に７の支点を設けビスなどで結合し、７の支点を中心に図１のように開いたり図５のように閉じたりすることができる。【００１８】  １の左側本体と２の右側本体の中には本体を吊り下げるためのチェーンやひもなどの４の吊りチェーンが内蔵してあり、この４の吊りチェーンを７の支点の反対側にそれぞれ引き出すことができる構造になっている。【００１９】  図２は図１の１の左側本体のＢ１からＢ２間の断面図です。この４の吊りチェーンの７の支点側に６のチェーン側チェーン止めが４の吊りチェーンに固定してある。【００２０】  ７の支点の反対側に５の本体側チェーン止めがそれぞれの本体に固定してある。【００２１】  ５の本体側チェーン止めは、４の吊りチェーンが通るだけの穴が半円状の板に空いている構造で、この半円状の板が半割パイプ状の本体に固定してある。【００２２】  ６のチェーン側チェーン止めは、この穴より少し大きな構造になっており、４の吊りチェーンを７の支点の反対側に引き出した際に６のチェーン側チェーン止めが５の本体側チェーン止めに当たり、４の吊りチェーンが本体から抜けない構造になっている。【００２３】  さらに、１の左側本体と２の右側本体には図６の３の洗濯物押さえ棒があり、左右本体には長さの違う３洗濯物押さえ棒が２個ついている。【００２４】  ３の洗濯物押さえ棒には８の洗濯物押さえ棒止めと９の洗濯物押さえ棒回転支点がある。【００２５】  図３のＡ１からＡ２の断面図にあるように８の洗濯物押さえ棒止めのＲ部が本体に引っかかることで開かないようにロックできる構造になっている。【００２６】  ９の洗濯物押さえ棒回転支点は本体にビスなどにて取り付けてあり、この支点を中心に３の洗濯物押さえ棒が回転し図７のように３の洗濯物押さえ棒を開けることができる構造である。【００２７】  また、本体を折り畳んだ時に８の洗濯物押さえ棒止め部が本体に当たらないように図４のように１０の洗濯物押さえ棒止め収納溝がある。
【実施形態の効果】
【００２８】  この実施形態によれば、１の左側本体と２の右側本体とを７の支点を中心に開き、４の吊りチェーンを７の支点の反対側から引き出し、洗濯竿・洗濯竿スタンドや室内では鴨居やフックなどに引っかけて図７や図８のように吊すことができる。
【００２９】  洗濯物は洗濯バサミを使って干すこともできるが、３の洗濯物押さえ棒を開き、押さえ棒に洗濯物を通したり、また、３の洗濯物押さえ棒を開き、本体に洗濯物を干し、３の洗濯物押さえ棒を閉じて、８の洗濯物押さえ棒止め部を本体にロックすれば洗濯物を押さえることができ洗濯バサミが不要となる。
【００３０】  以上説明したように、この発明によれば、不要時は、折り畳みむことにより収納場所に困らず、洗濯物をが多くなり、洗濯竿が足らなくなった時は、開けて洗濯竿に吊り下げて使用することができる。
【００３１】  洗濯竿の高さは、人の背の高さ程度の高さが多く、洗濯物を洗濯竿に干した場合、その洗濯物の下部に更に洗濯物を干せるスペースがある。そのスペースを利用することができ、また、チェーンで吊す場合は吊ししろを自在に調整することができる。
【００３２】  シャツやズボンなどのような、袖や片足を竿に通して干す洗濯物は、吊り下げタイプのため袖や片足を竿に通すことが困難なため洗濯物押さえ棒に袖や片足を通すことを可能とし、また、その洗濯物押さえ棒を本体にロックすることで洗濯物を竿に固定するため、洗濯バサミを不要としました。
【他の実施形態】
【００３３】  図６の実施形態では、３の洗濯物押さえ棒の本体と洗濯物を挟むａ部がストレートになっているが、他の実施形態では、この部分を洗濯物を押さえる力を強固にするため凸を設けた形状でも良い。
【００３４】  また、本体側を竹のように節を設けても良い。さらに、両方を複合する形状でも良い。
【図面の簡単な説明】
【００３５】
【図１】  この発明の一実施形態を示す正面図・平面図・側面図である。
【図２】  この発明の一実施形態を示す図１のＢ１−Ｂ２の断面図である。
【図３】  この発明の一実施形態を示す図１のＡ１−Ａ２の断面図である。
【図４】  この発明の一実施形態を示す図１の洗濯物押さえ棒止め収納溝の拡大図である。
【図５】  この発明の一実施形態を示す折り畳んだ状態での正面図と側面図である。
【図６】  この発明の一実施形態を示す図１の洗濯物押さえ棒単品の正面図・平面図・側面図である。
【図７】  この発明の一実施形態を示す洗濯物干しスタンドでの利用した場合の斜視図である。
【図８】  この発明の一実施形態を示す室内での利用した場合の斜視図である。
【図９】  従来技術を示す斜視図である。
【符号の説明】
【００３６】  １  左側本体                      ２  右側本体
３  洗濯物押さえ棒                ４  吊りチェーン
５  本体側チェーン止め            ６  チェーン側チェーン止め
７  支点                          ８  洗濯物押さえ棒止め
９  洗濯物押さえ棒回転支点      １０  洗濯物押さえ棒止め収納溝
Ａ  タコ足状の折り畳み式吊り下げ形補助洗濯物干し
Ｂ  洗濯バサミのついた２つ折りの折り畳み式吊り下げ形補助洗濯物干し
Ｃ  折り畳み式のスタンド形補助洗濯物干器具
Ｄ  ロープ
【図１】
2006021010.tif 000003
【図２】
2006021010.tif 000004
【図３】
2006021010.tif 000005
【図４】
2006021010.tif 000006
【図５】
2006021010.tif 000007
【図６】
2006021010.tif 000008
【図７】
2006021010.tif 000009
【図８】
2006021010.tif 000010
【図９】
2006021010.tif 000011